(57)【要約】【課題】データ記録装置において、ハウリングを確実に防止する。【解決手段】マルチトラックレコーダなどのデータ記録装置はＣＰＵを有し、スピーカスイッチ１２やインプットセッティングスイッチ１４、アサインスイッチ１６などの操作に応じて入力音源からの音声信号を処理してメモリに記録する。ＣＰＵは、内蔵マイクと内蔵スピーカの同時オンを禁止するとともに、録音スタンバイ状態に移行したトラックの入力音源がライン入力端子から内蔵マイクに切り替わったタイミングで内蔵スピーカをオンからオフに強制的に切り替える。【選択図】図１Ａ
2010098440.tif 000002
【特許請求の範囲】
【請求項１】
データ録音装置であって、
内蔵マイクと、
ライン入力端子と、
内蔵スピーカと、
入力音源を切り替えるスイッチと、
録音スタンバイ状態において前記スイッチにより入力音源が前記ライン入力端子から前記内蔵マイクに切り替わった場合、切り替わりのタイミングにおいて前記内蔵スピーカをオフ制御する制御手段と、
を有することを特徴とするデータ記録装置。
【請求項２】
請求項１記載の装置において、
前記制御手段は、録音スタンバイ状態において前記スイッチにより入力音源が前記内蔵マイクから前記ライン入力端子に切り替わった場合、前記内蔵スピーカをそのままの状態に維持することを特徴とするデータ記録装置。
【請求項３】
請求項１記載の装置において、
前記内蔵スピーカのオンオフを手動で切り替える手動操作スイッチ
を有し、
前記制御手段は、録音スタンバイ状態において前記手動操作スイッチにより前記内蔵スピーカがオンされた場合、前記録音スタンバイ状態を解除するとともに前記内蔵マイクをオフ制御することを特徴とするデータ記録装置。
【発明の詳細な説明】
【技術分野】
【０００１】
本発明はデータ記録装置に関し、特にハウリングの防止に関する。
【背景技術】
【０００２】
内蔵スピーカと内蔵マイクを搭載した録音装置などにおいて、内蔵スピーカから出力された音声を内蔵マイクが拾ってしまうことでノイズが発生するハウリングを防止するために各種の技術が提案されている。例えば、特許文献１には、内蔵マイクと、内蔵スピーカと、マイクのオンオフを切り替えるスイッチ手段と、スイッチ手段により内蔵マイクがオンにされている場合に内蔵スピーカをオフにし、スイッチ手段により内蔵マイクがオフにされている場合に内蔵スピーカをオンにする制御手段を備えることが記載されている。また、これ以外にも、録音ボタンが押されて録音が開始されるタイミングで内蔵スピーカをオフにする技術も提案されている。
【０００３】
【特許文献１】特許第３７００６８０号公報
【発明の開示】
【発明が解決しようとする課題】
【０００４】
一方、マルチトラックレコーダのように複数のトラックに音声データを記録でき、かつ入力音源として複数の内蔵マイクや複数のライン入力を備える場合、入力音源の組み合わせが多岐にわたることとなり、ユーザを徒に混乱させることなく、簡易な操作でハウリングを防止できることが望まれる。
【０００５】
本発明の目的は、複数の入力音源を備えるデータ記録装置において、確実にハウリングを防止することにある。
【課題を解決するための手段】
【０００６】
本発明は、データ録音装置であって、内蔵マイクと、ライン入力端子と、内蔵スピーカと、入力音源を切り替えるスイッチと、録音スタンバイ状態において前記スイッチにより入力音源が前記ライン入力端子から前記内蔵マイクに切り替わった場合、切り替わりのタイミングにおいて前記内蔵スピーカをオフ制御する制御手段とを有する。
【０００７】
本発明において、前記制御手段は、録音スタンバイ状態において前記スイッチにより入力音源が前記内蔵マイクから前記ライン入力端子に切り替わった場合、前記内蔵スピーカをそのままの状態に維持してもよい。
【０００８】
また、本発明において、前記内蔵スピーカのオンオフを手動で切り替える手動操作スイッチを有し、前記制御手段は、録音スタンバイ状態において前記手動操作スイッチにより前記内蔵スピーカがオンされた場合、前記録音スタンバイ状態を解除するとともに前記内蔵マイクをオフ制御してもよい。
【発明の効果】
【０００９】
本発明によれば、複数の入力音源を備えるデータ記録装置において、確実にハウリングを防止することができる。
【発明を実施するための最良の形態】
【００１０】
以下、図面に基づき本発明の実施形態について説明する。
【００１１】
図１Ａ〜図１Ｄに、本実施形態におけるデータ記録装置としてのマルチトラックレコーダ（ＭＴＲ）の外観構成を示す。図１ＡはＭＴＲの平面図、図１ＢはＭＴＲの正面図、図１ＣはＭＴＲの背面図、図１ＤはＭＴＲの底面図である。
【００１２】
図１Ａに示すように、ＭＴＲは、電源スイッチ１０、内蔵スピーカのオンオフを切り替えるスピーカスイッチ１２、入力音源を切り替えるインプットセッティング（ＩＮＰＵＴ  ＳＥＴＴＩＮＧ）スイッチ１４、入力音源を複数のトラック（本実施形態では４トラック）のそれぞれに割り当てるアサイン（ＡＳＳＩＧＮ）スイッチ１６、ＬＣＤなどの表示部１８、各トラック毎に設けられ、各トラックの録音スタンバイを行うＲＥＣスタンバイスイッチ２０、録音を開始する録音ボタン２２、音声データの再生を開始する再生ボタン３４を備える。
【００１３】
また、図１Ｂに示すように、ＭＴＲの正面には内蔵マイクとして内蔵マイク２４及び内蔵マイク２６が設けられる。
【００１４】
また、図１Ｃに示すように、ＭＴＲの背面にはライン入力端子２８及びライン入力端子３０が設けられる。
【００１５】
さらに、図１Ｄに示すように、ＭＴＲの底面部には内蔵スピーカ３２が設けられる。
【００１６】
このように、本実施形態のＭＴＲは、入力音源として２つの内蔵マイク２４、２６及び２つのライン入力２８、３０を備え、各入力音源をトラック１からトラック４のいずれかに割り当てて録音することができる。入力音源はインプットセッティングスイッチ１４で選択され、各トラックへの割り当てはアサインスイッチ１６により実行される。例えば、インプットセッティングスイッチ１４により内蔵マイク２４を選択し、アサインスイッチ１６により内蔵マイク２４からの音声信号をトラック１に割り当てる。また、インプットセッティングスイッチ１４によりライン入力端子２８を選択し、アサインスイッチ１６によりライン入力端子２８からの音声信号をトラック２に割り当てるなどである。各トラックに入力音源を割り当てた後、ＲＥＣスタンバイスイッチ２０を操作することにより当該トラックが録音スタンバイ状態に移行する。所望のトラックを録音スタンバイ状態に移行させた後、録音ボタン２２を押下操作しながら再生ボタン３４を押下操作することで録音が開始される。なお、まずＲＥＣスタンバイスイッチ２０を操作して該当するトラックを録音スタンバイ状態に移行させた後で、当該トラックに所望の入力音源をアサインすることもできる。例えば、トラック１のＲＥＣスタンバイスイッチ２０を操作してトラック１を録音スタンバイ状態に移行させた後、インプットセッティングスイッチ１４及びアサインスイッチ１６を操作して内蔵マイク２４からの音声をトラック１に割り当てることもできる。
【００１７】
図２に、ＭＴＲの内部構成ブロック図を示す。操作部５０は、図１Ａにおけるスピーカスイッチ１２やインプットセッティングスイッチ１４、アサインスイッチ１６、ＲＥＣスタンバイスイッチ２０などであり、操作部５０からの操作信号はバスを介してＣＰＵ６０に供給される。
【００１８】
ＡＤＣ（アナログデジタルコンバータ）５２は、入力アナログ信号をデジタル信号に変換してＣＰＵ６０に供給する。ＡＤＣ５２には、２つの内蔵マイク２４、２６からの音声信号、あるいは２つのライン入力端子２８、３０からの音声信号が供給される。
【００１９】
ＤＡＣ（デジタルアナログコンバータ）５４は、デジタル信号をアナログ信号に変換して内蔵スピーカ３２に出力する。
【００２０】
表示部１８は、図１Ｂに示すようにＭＴＲの所定位置に設けられ、入力音源や録音状態などを表示する。
【００２１】
ＲＯＭ５６は、処理プログラムを記憶する。ＲＡＭ５８はワーキングメモリとして機能し、入力音声信号のミキシング処理やエフェクト処理時、エンコードあるいはデコード処理時に用いられる。
【００２２】
ＣＰＵ６０は、ＲＯＭ５６に記憶された処理プログラムに従って各部の動作を制御する。本実施形態においては、特にハウリングを防止するために内蔵スピーカ３２の動作や各トラックの録音スタンバイ状態などを制御する。ＣＰＵ６０における基本的な制御動作は、内蔵マイク２４、２６と内蔵スピーカ３２を同時にオンしないように制御することである。すなわち、内蔵マイク２４、２６のいずれかがオンする場合には内蔵スピーカ３２を自動的にオフし、内蔵スピーカ３２がオンする場合には内蔵マイク２４、２６を自動的にオフする。ＣＰＵ６０におけるハウリング防止のためのその他の制御については後述する。
【００２３】
メモリコントローラ６２は、外部メモリとしてのフラッシュメモリ６４を制御し、録音時にはミキシング処理やエフェクト処理されたデジタル音声データをフラッシュメモリ６４に記憶する。また、再生時にはフラッシュメモリ６４に記憶されたデジタル音声データを読み出してＣＰＵ６０に供給する。本実施形態では外部メモリとしてフラッシュメモリ６４を例示しているが、ハードディスクや光ディスク装置、各種カード媒体を用いることもできる。なお、メモリコントローラ６２はＣＰＵ６０に内蔵してもよい。
【００２４】
以上のような構成において、ＣＰＵ６０は、上述したように内蔵マイク２４、２６と内蔵スピーカ３２とが同時にオンしないように内蔵マイク２４、２６あるいは内蔵スピーカ３２の動作を制御する。例えば、スピーカスイッチ１２を操作して内蔵スピーカ３２をオンにすると、ＣＰＵ６０は内蔵マイク２４、２６がオンされているか否かを検知し、オンされていれば強制的にオフ制御する。
【００２５】
より具体的に説明すると以下のとおりである。すなわち、トラック１に入力音源として内蔵マイク２４が割り当てられ、かつ、トラック１のＲＥＣスタンバイスイッチ２０が操作されてトラック１が録音スタンバイ状態に移行しているものとする。この状態で、ユーザがスピーカスイッチ１２を操作して内蔵スピーカ３２をオフからオンに切り替えると、ＣＰＵ６０はトラック１に内蔵マイク２４が割り当てられ、しかもトラック１が録音スタンバイ状態に移行していることを検知して、トラック１の録音スタンバイ状態を強制的に解除するとともに、内蔵マイク２４をオンからオフに切り替える。ここで、内蔵マイクをオフにするとは、マイクの機能を停止する他、内蔵マイクからの音声信号を遮断することを意味する。すなわち、マイクの機能は停止させず、内蔵マイクからの音声信号をスピーカ３２へ出力しないようにする。したがって、図示しないヘッドホン出力端子へは内蔵マイク２４からの音声信号が出力され、ヘッドホンで聴くことができる。
【００２６】
また、録音ボタン２２が操作されて既に録音動作を実行中にユーザによりスピーカスイッチ１２がオン操作された場合、ＣＰＵ６０は、このスピーカスイッチ１２のオン操作を無視してスピーカ３２をオフのまま維持する。ＣＰＵ６０は、録音中は常に内蔵スピーカ３２をオフ制御する。
【００２７】
また、内蔵スピーカ３２がオンしているときにトラック１に入力音源として内蔵マイク２４あるいは内蔵マイク２６が割り当てられ、トラック１のＲＥＣスタンバイスイッチ２０が操作されてトラック１が録音スタンバイ状態に移行した場合、ＣＰＵ６０は、内蔵スピーカ３２を自動的にオンからオフに切り替える。
【００２８】
さらに、ＣＰＵ６０は、入力音源の切り替えに応じても内蔵スピーカ３２の動作を制御する。すなわち、トラック１のＲＥＣスタンバイスイッチ２０が操作されてトラック１が録音スタンバイ状態に移行している場合において、インプットセッティングスイッチ１４及びアサインスイッチ１６により入力音源が内蔵マイク２４あるいは内蔵マイク２６からライン入力端子２８あるいはライン入力端子３０に切り替わった場合、ＣＰＵ６０は、内蔵スピーカ３２をオフ状態のまま維持する。入力音源が内蔵マイクである場合には、内蔵スピーカ３２は常にオフでなければならないが、入力音源がライン入力端子である場合にはハウリングのおそれがないため内蔵スピーカ３２をオンにしてもよいが、内蔵スピーカ３２をオンするか否かはユーザの操作に委ねる方が好適であるため、オフ動作のまま維持しておく。もちろん、この状態でユーザがスピーカスイッチ１２をオン操作すると、ＣＰＵ６０はこの操作を許容して内蔵スピーカ３２をオンに切り替える。但し、録音ボタン２２が操作されて録音が開始した場合、上述したとおり、ＣＰＵ６０は、内蔵スピーカ３２がオンであれば強制的にオフに切り替える。
【００２９】
一方、トラック１のＲＥＣスタンバイスイッチ２０が操作されてトラック１が録音スタンバイ状態に移行している場合において、インプットセッティングスイッチ１４及びアサインスイッチ１６によりトラック１の入力音源としてライン入力端子２８あるいはライン入力端子３０から内蔵マイク２４あるいは内蔵マイク２６に切り替わった場合、ＣＰＵ６０は、内蔵スピーカ３２をオンからオフに強制的に切り替える。
【００３０】
このように、あるトラックが録音スタンバイ状態に移行している状態で入力音源が切り替わる場合、その切り替えのタイミング及び録音開始のタイミングにおいて内蔵スピーカ３２のオンオフ動作を自動的に切り替えることで、ユーザはハウリングについて特に考慮する必要なく入力音源の切り替え及び録音を行うことができる。また、内蔵スピーカ３２のオンオフ状態にかかわらず、ヘッドホン端子への音声出力は常に有効にする。これにより、録音中、録音前のスタンバイ状態であっても、ヘッドホンで録音レベルなど音声信号のレベルを確認することができる。
【図面の簡単な説明】
【００３１】
【図１Ａ】マルチトラックレコーダの平面図である。
【図１Ｂ】マルチトラックレコーダの正面図である。
【図１Ｃ】マルチトラックレコーダの背面図である。
【図１Ｄ】マルチトラックレコーダの底面図である。
【図２】マルチトラックレコーダの構成ブロック図である。
【符号の説明】
【００３２】
１０  電源スイッチ、１２  スピーカスイッチ、１４  インプットセッティングスイッチ、１６  アサインスイッチ、１８  表示部、２０  ＲＥＣスタンバイスイッチ、２２  録音ボタン、２４，２６  内蔵マイク、２８，３０  ライン入力端子、３２  内蔵スピーカ、３４  再生ボタン。
【図１Ａ】
2010098440.tif 000003
【図１Ｂ】
2010098440.tif 000004
【図１Ｃ】
2010098440.tif 000005
【図１Ｄ】
2010098440.tif 000006
【図２】
2010098440.tif 000007